(57)【要約】【課題】  垂直に起立した複数のポール上端部にビームを連結して構成する共有空間を仕切る構造であって、ポールとビーム間の大きな連結強度を必要としない共有空間を仕切る構造の提供。【解決手段】  ポール１の上端及び下端は天井５及び床面９に取着したキャップ２０，２０に嵌って連結される。そしてポール１は筒型断面を成して側面には溝８を有し、該溝８の両内側面には対を成して補助溝１２，１２を形成し、該補助溝１２，１２に嵌合部材１０を嵌め、ポール側面に配置したブラケット６から挿入したネジ１４を嵌合部材１０のネジ穴１５に螺合して締付けることで溝８の入口付近の挟持部１６，１６を挟み込み、該ブラケット６には上記ビーム２を係合して支持する。【選択図】    図５
2005188167.tif 000002
【特許請求の範囲】
【請求項１】
垂直に起立した複数のポール上端部にビームを連結して構成する共有空間を仕切る構造において、上記ポールの上端及び下端は天井及び床面に取着したキャップに嵌って連結され、そしてポールは筒型断面を成して側面には溝を有し、該溝の両内側面には対を成して補助溝を形成し、該補助溝に嵌合部材を嵌めてポール側面に配置したブラケット側から挿入したネジを該嵌合部材のネジ穴に螺合して締付けることで溝の入口付近の挟持部を挟み込んで該ブラケットを固定し、ブラケットには先端を係合してビームを支持したことを特徴とする共有空間を仕切る構造。
【請求項２】
垂直に起立した複数のポール上端部にビームを連結して構成する共有空間を仕切る構造において、上記ポールの上端及び下端は天井及び床面に取着したキャップに嵌って連結され、天井に取着したキャップの内部空洞には上止め金具を固定してポール上端が係合し、床面に取着したキャップの内部空洞には下止め金具を固定してポール下端を係合・支持し、そしてポールは筒型断面を成して側面には溝を有し、該溝の両内側面には対を成して補助溝を形成し、該補助溝に嵌合部材を嵌めてポール側面に配置したブラケット側から挿入したネジを該嵌合部材のネジ穴に螺合して締付けることで溝の入口付近の挟持部を挟み込んで該ブラケットを固定し、ブラケットには先端を係合してビームを支持したことを特徴とする共有空間を仕切る構造。
【請求項３】
上記ブラケット形状を上側と正面側を開口した箱形としてビーム先端が嵌る係合空間を形成した請求項１、又は請求項２記載の共有空間を仕切る構造。
【請求項４】
上記ビームを長方形の筒型断面とし、側面には取付け溝を形成した請求項１、請求項２、又は請求項３記載の共有空間を仕切る構造。
【発明の詳細な説明】
【技術分野】
【０００１】
本発明はオフィスルーム等の比較的広い空間体に設置されて、人と人が自由にふれ合うことが出来るオープン状態の空間を形成する構造体に関するものである。
【背景技術】
【０００２】
大きな空間を仕切るものとして間仕切り装置が多用されている。間仕切りにも色々なタイプがあり、床面から天井まで届くようにパネルを据え付けて構成する場合、天井との間に空間を残してパネルを据え付けて構成する場合、更には私的な小さな空間を仕切るためのローパーティションと称される間仕切りなどが知られている。
【０００３】
ところで、これら各間仕切り装置はパネルを配置することで周囲と隔離され、隣との間にはパネルを介した壁が形成される。近年では、このようなパネルで仕切られた空間ではなく、オープン状態の空間を形成し、コミュニケーションを図ることが出来るような共有空間を仕切る構造が一部で使用されている。すなわち、パネルを配置して空間を完全に仕切るのではなく、複数本のポールを周囲に起立することで、オープン化したコミュニケーションの場を構成することが出来、必要に応じてスクリーンなどで簡易的に仕切ることが出来る構造体である。
【０００４】
特開２００３−１３８７６９号に係る「共有空間構造体」は従来技術の１つである。この共有空間構造体は、「床の所定位置に設置したベース部材と、このベース部材から上方に延びるポールと、２本のポールの上端に係合することでほぼ水平状態に支持されるフレーム部材との組合せから成る共有空間構造体であって、３本のポールと、２本の上面視直線状を成すフレーム部材と、１本の上面視直線状を成すフレーム部材とで構成される最小共有空間構造体を少なくとも１つ以上有している。」
ところで、上記ポールは天井まで達しておらず、隣り合うポールには水平フレームが掛架して連結されて空間構造体を構成している。ポールはフレームに連結されて転倒しないように成っているが、その連結構造は高強度で複雑化しており、コストも高くなる。すなわち、各ポールはフレームとの連結にて転倒しないようにした構造体であり、その為にはポールとフレームとの連結構造の強度が重要と成る。そして、水平フレームを直接ネジ止めする為に、該フレームを水平に保持した状態でネジ止めしなくてはならず、重いフレームを支えながらのネジ止め作業が強いられる。
【０００５】
ポール外周には溝部が軸に平行を成して設けられ、該溝部に受け部材を嵌め、フレームの止着部材をボールに当ててネジ止めされる。止着部材側から挿入したネジは受け部材のネジ穴に螺合し、溝部入口付近に形成している係止片を受け部材と止着部材とで挟み込んで固定される構造と成っている。
【特許文献１】特開２００３−１３８７６９号に係る「共有空間構造体」
【発明の開示】
【発明が解決しようとする課題】
【０００６】
このように、従来の共有空間を仕切る構造には上記のごとき問題がある。本発明が解決しようとする課題はこれら問題点であり、いたって簡単の構造にてポールと横桟となるビームを連結することが出来、しかも据付け作業性の良い共有空間を仕切る構造を提供する。
【課題を解決するための手段】
【０００７】
本発明の共有空間を仕切る構造の基本構造は従来のものと共通し、複数のポールが垂直に起立し、このポールの上端部にはフレームに相当するビームが掛架している。ところで、本発明の共有空間を仕切る構造のポールは天井まで達し、床面と天井間で突っ張って転倒しないように起立している。床面及び天井にはキャップが取付けられて、ポールの下端及び上端は該キャップに嵌っている。キャップ内には止め金具が設けられ、ポール下端は床面に取着される下キャップ内の止め金具に載って支持され、ポール上端は天井に取着される上キャップ内の止め金具に嵌って拘束される。
【０００８】
このように、単独で転倒しないように起立したポールの上端部にビームが掛架されるが、ビームはポール側面に固定したブラケットに嵌って支持されるだけの簡単な支持構造と成っている。ブラケットはポール側面に軸に沿って設けた溝に取着されるが、この溝の両内側面に補助溝を対向して形成している。そして、この対向補助溝に嵌合部材を嵌め、ブラケット側から挿通したネジを嵌合部材のネジ穴に螺合して締付けることで、嵌合部材及びブラケットは降下することなく固定される。ここで、ブラケットの形状は特に限定しないが、所定高さに固定されたブラケットにビーム両端が係合して支持される。
【発明の効果】
【０００９】
本発明の共有空間を仕切る構造は、ポールを天井まで延ばして倒れないように起立し、この起立したポールに取着したブラケットにビームを係合して支持する構造であり、全体構造は簡単である。すなわち、ポールに取着したブラケットにはビーム先端が係合して支持される連結構造である為に、ポールが傾いてもブラケットとビーム間にはモーメントが発生しない。
【００１０】
従って、ブラケットはビームを支えるだけの強度があれば十分となる。勿論、ブラケットを取着しているポールとの連結強度も小さくてよい。これに対して、前記特開２００３−１３８７６９号に係る「共有空間構造体」のように、ポールとフレーム(ビーム)をネジ止めした連結構造であれば、ポールが僅かに傾いても連結部に曲げモーメントが発生し、この曲げモーメントに耐えるだけの連結強度が求められると共に、ポール自体の強度も高くなくてはならない。これらのことは、全て製作コストに影響する。
【００１１】
そして、本発明ではブラケットを所定の高さに固定した状態で、該ブラケットにビームを係合することが出来るために、すなわち重いビームを支えながらポールに連結する必要がなく、据付け作業性が良い。ブラケットはポール側面に形成している溝に沿って上下動することが出来、高さが定まったところでネジを締付けて固定する。
【実施例】
【００１２】
図１は本発明に係る共有空間を仕切る構造の概要を示す実施例であり、同図の１はポール、２はビームを表している。ポール１，１・・は床面に起立して天井まで延び、各ポール１，１・・間にはビーム２，２・・が掛架して連結されている。同図に示す共有空間を仕切る構造は４本のポール１，１・・と該ポールに掛架して連結するビーム２，２・・とで空間３が形成され、しかも該空間３は仕切られることなく、オープン状態と成っている。
【００１３】
そして、空間３にはテーブル４が配置され、打ち合わせ場所として使用したり、仕事の合間の休憩する場所として利用することも出来る。該空間３は隣の空間３，３・・と仕切られておらず、その為に小さくて狭い空間３ではあるが圧迫感がなく、開放的な空間となる。
【００１４】
図２は本発明に係る共有空間を仕切る構造を示す部分詳細図であり、横断面図と正面図を表している。床面４から垂直に起立するポール１、１・・は天井５まで届き、ポール１の下端及び上端にはキャップ２０，２０に嵌っている。図３は天井及び床面に取付けたキャップ２０を示している。
【００１５】
図３(ａ)は天井５に取着されるキャップ２０であり、内部は空洞化されて上止め金具２１がネジ止めされ、該上止め金具２１がポール１の上端に嵌入して連結している。ポール１の上端部はキャップ２０に形成している空洞に嵌り、ポール内には上止め金具２１が嵌入した連結構造と成っている。
【００１６】
図３(ｂ)は床面に取着しているキャップ２０を示し、該キャップ２０の内部空洞には下止め金具２２がネジ止めされている。そしてポール１の下端はキャップ２０の内部空洞に嵌ると共に、下止め金具２２に載って支持されている。このように、ポール１は天井５及び床面９に固定しているキャップ２０，２０に嵌って連結され、転倒することがないように成っている。勿論、本発明ではポール１と上下キャップ２０，２０との連結構造を該実施例に限定するものではない。
【００１７】
ポール１，１・・の上端部にはブラケット６，６・・が取着され、ポール１，１・・間に掛架されるビーム２，２・・は上記ブラケット６，６・・に係合して支えられている。そして、ビーム２，２・・にはスクリーン７，７・・が取付けられて、必要に応じて空間３を簡易的に仕切ることが出来る。同図に示すスクリーン７は巻き取られた状態で、空間３は仕切られていない。
【００１８】
ところで、ポール１は円形断面の筒体で構成され、外周の４箇所には軸方向に溝８，８・・が設けられている。そして、この溝８を介して上記ブラケット６が取着されるが、ブラケット６の高さは自由に調整可能な構造と成っている。図４はポール１にビーム２を連結する前の状態(展開図)であり、ポール外周の溝８に嵌合部材１０を嵌め、この嵌合部材１０にブラケット６を固定する。そして、ブラケット６の係合空間１１にビーム２の先端が嵌って支持される。
【００１９】
図５はブラケット６を介してビーム２をポール１に連結している横断面を示している。溝８の内側面には対を成す補助溝１２，１２が形成され、この補助溝１２、１２に棒状の嵌合部材１０が嵌っている。そして、箱型ブラケット６の背面板１３から挿通したネジ１４，１４・・は嵌合部材１０に形成しているネジ穴１５，１５・・に螺合して締付けられる。
【００２０】
従って、ブラケット６の背面板１３と嵌合部材１０とでポール１の挟持部１６，１６を挟み込むことで固定される。筒型ポール１に溝８，８・・及び補助溝１２，１２・・を形成しており、嵌合部材１０とブラケット背面板１３とで挟持部１６，１６が強力に挟まれるならば、該挟持部１６，１６を介してブラケット６は所定の位置に固定される。
【００２１】
ビーム２の先端はブラケット６の係合空間１１に嵌っているだけであり、ポールが傾斜してもブラケット６とビーム２との間にモーメントが作用することはない。この共有空間を仕切る構造の据え付けは、まずポールを床面と天井との間で突っ張らせて起立し、ブラケット６を所定の位置に固定する。ブラケット６はネジ１４，１４・・を強く締付けない状態ではその高さを自由に変えることが出来る。すなわち、溝８に沿って上下動することが出来、ビーム２は固定されたブラケット６の空間に嵌めるだけである。
【００２２】
ところで、ビームの形態は自由であり、同図に示すものに限定しない。そしてブラケットの形態はビーム形態に合わせて変えることが出来る。ただし、ポールへの固定手段は補助溝１２，１２に嵌めた嵌合部材１０にネジ止めされる。図４に示しているビーム２は長方形の筒型をなし、両側面１８，１８及び下面１９には取付け溝１７，１７・・が設けられ、これら取付け溝１７，１７・・を介してスクリーン７が取着される。そして、不要な場合には取外しすることが自由である。
【図面の簡単な説明】
【００２３】
【図１】本発明に係る共有空間を仕切る構造の外観図。
【図２】本発明に係る共有空間を仕切る構造の一部詳細図で、横断面図と正面図を表している。
【図３】(ａ)は天井に取着されるキャップとポールの連結構造、(ｂ)は床面に取着されるキャップとポールの連結構造。
【図４】ポールとビームの連結部の展開図。
【図５】ポールとビームの連結構造。
【符号の説明】
【００２４】
１  ホール
２  ビーム
３  空間
４  テーブル
５  天井
６  ブラケット
７  スクリーン
８  溝
９  床面
10  嵌合部材
11  係合空間
12  補助溝
13  背面板
14  ネジ
15  ネジ穴
16  挟持部
17  取付け溝
18  側面
19  下面
20  キャップ
21  上止め金具
22  下止め金具
【図１】
2005188167.tif 000003
【図２】
2005188167.tif 000004
【図３】
2005188167.tif 000005
【図４】
2005188167.tif 000006
【図５】
2005188167.tif 000007